(57)【特許請求の範囲】
【請求項１】
表示部と、タッチパネル部とを備えた画像形成装置に設けられる表示入力装置において、
前記表示部に前記画像形成装置が表示される操作画面と、当該画像形成装置の動作を設定する設定項目とを表示可能な表示手段と、
前記操作画面の表示領域と、前記設定項目とを対応づけて記憶する記憶手段と、
前記タッチパネル部へのタッチ入力を検知するタッチ入力検知手段と、
前記タッチ入力検知手段によりタッチ入力が検知されている状態のときに、前記タッチ入力の位置に対応する設定項目を、前記タッチ入力の位置の近傍に表示することにより、前記操作画面に表示されている前記画像形成装置を常に表示しつつ当該設定項目を前記操作画面に重畳して表示する設定項目表示手段と、
を備えることを特徴とする表示入力装置。
【請求項２】
前記設定項目表示手段により設定項目が表示されている状態のとき、表示されている設定項目の位置で再度タッチ入力状態が検知されると、当該検知された位置の設定項目を選択する設定項目選択手段を更に備えることを特徴とする請求項１に記載の表示入力装置。
【請求項３】
タッチ入力検知手段により、タッチ入力が解除されたことが検知された場合には、前記設定項目表示手段により表示されている設定項目を消去する設定項目消去手段を備えることを特徴とする請求項１又は２に記載の表示入力装置。
【請求項４】
表示部と、タッチパネル部とを備えた画像形成装置において実行されるプログラムであって、
前記表示部に前記画像形成装置が表示される操作画面と、当該画像形成装置の動作を設定する設定項目とを表示可能な表示機能と、
前記操作画面の表示領域と、前記設定項目とを対応づけて記憶する記憶機能と、
前記タッチパネル部へのタッチ入力を検知するタッチ入力検知機能と、
前記タッチ入力検知機能によりタッチ入力が検知されている状態のときに、前記タッチ入力の位置に対応する設定項目を、前記タッチ入力の位置の近傍に表示することにより、前記操作画面に表示されている前記画像形成装置を常に表示しつつ当該設定項目を前記操作画面に重畳して表示する設定項目表示機能と、
を実現させるプログラム。
【発明の詳細な説明】
【技術分野】
【０００１】
本発明は、表示部と、タッチパネル部とを備えた表示入力装置等に関する。
【背景技術】
【０００２】
従来から、各動作設定を行う場合に、メニュー形式を利用することにより、選択して設定項目や、装置の動作を決定する表示入力装置が知られている。
【０００３】
例えば、特許文献１には、オーディオモードと、カメラモードが選択可能なカメラにおいて、撮影画像や、音楽情報等を液晶モニタに一覧表示する方法等が知られている。
【０００４】
また、表示入力装置として、表示部とタッチパネル部とを利用した装置が知られている。このような装置の場合、設定項目をメニュー形式で表示部に表示させ、当該部分をタッチすることによりメニューを選択できることとなる。
【０００５】
例えば、図１３は、従来の表示入力装置がデジタル複合機に適用された場合における操作画面である。ここで、利用者が領域Ｒ９００をタッチすることにより、操作画面を表示する表示部と一体として構成されているタッチパネル部が、タッチ状態を検知する。そして、領域Ｒ９００に対応する設定画面を表示する。領域Ｒ９００がタッチされることにより図１４の原稿設定画面が表示される。ここで利用者は原稿サイズの設定が可能となる。
【０００６】
また、同様に領域Ｒ９０２がタッチされることにより図１５の設定画面が表示される。ここで、利用者は給紙される用紙のサイズが設定可能となる。
【特許文献１】特開２００２−１７６５７８号公報
【発明の開示】
【発明が解決しようとする課題】
【０００７】
従来の表示入力装置の場合、操作画面において、設定を行う場合、設定画面に切り替える必要があった。したがって、例えば、操作画面において設定項目を確認したい場合であっても、一度設定画面に切り替える必要が生じていた。
【０００８】
また、複数の設定を行う場合、操作画面と設定画面との切換を何度も行う必要があり、利便性が高い操作性が提供されているとは言えなかった。
【０００９】
また、同一の設定画面であって、複数の項目を設定する場合、設定画面において１つの項目を設定した後に、一度操作画面に遷移し、再度設定画面に画面状態が遷移する必要があり、利便性が高い操作性が提供されているとは言えなかった。
【００１０】
上述した課題に鑑み、本発明が目的とするところは、操作画面と設定画面とを同時に表示することにより、利用者の利便性の高い入力表示装置を提供することである。
【課題を解決するための手段】
【００１１】
上述した課題に鑑み、本発明の入力表示装置は、表示部と、タッチパネル部とを備えた画像形成装置に設けられる表示入力装置において、前記表示部に前記画像形成装置が表示される操作画面と、当該画像形成装置の動作を設定する設定項目とを表示可能な表示手段と、前記操作画面の表示領域と、前記設定項目とを対応づけて記憶する記憶手段と、前記タッチパネル部へのタッチ入力を検知するタッチ入力検知手段と、前記タッチ入力検知手段によりタッチ入力が検知されている状態のときに、前記タッチ入力の位置に対応する設定項目を、前記タッチ入力の位置の近傍に表示することにより、前記操作画面に表示されている前記画像形成装置を表示しつつ当該設定項目を前記操作画面に重畳して表示する設定項目表示手段と、を備えることを特徴とする。
【００１２】
また、本発明の入力表示装置は、前記設定項目表示手段により設定項目が表示されている状態のとき、表示されている設定項目の位置で再度タッチ入力状態が検知されると、当該検知された位置の設定項目を選択する設定項目選択手段を更に備えることを特徴とする。
【００１３】
また、本発明の入力表示装置は、タッチ入力検知手段により、タッチ入力が解除されたことが検知された場合には、前記設定項目表示手段により表示されている設定項目を消去する設定項目消去手段を備えることを特徴とする。
【００１４】
また、本発明のプログラムは、表示部と、タッチパネル部とを備えた画像形成装置において実行されるプログラムであって、前記表示部に前記画像形成装置が表示される操作画面と、当該画像形成装置の動作を設定する設定項目とを表示可能な表示機能と、前記操作画面の表示領域と、前記設定項目とを対応づけて記憶する記憶機能と、前記タッチパネル部へのタッチ入力を検知するタッチ入力検知機能と、前記タッチ入力検知機能によりタッチ入力が検知されている状態のときに、前記タッチ入力の位置に対応する設定項目を、前記タッチ入力の位置の近傍に表示することにより、前記操作画面に表示されている前記画像形成装置を表示しつつ当該設定項目を前記操作画面に重畳して表示する設定項目表示機能と、を実現させることを特徴とする。
【発明の効果】
【００１５】
本発明によれば、タッチ入力が検知されている状態のときに、タッチ入力の位置に対応して、表示部に表示されている操作画面に、設定項目を重畳して表示することができるようになる。したがって、操作画面と、設定項目とを同時に表示させることができるようになるため、利用者は利便性の高い操作を行うことが可能となる。また、設定項目を表示させたいだけの場合は、タッチ入力を行うことにより、操作画面から設定画面に遷移することなく、設定項目が可能となる。
【００１６】
さらに、本発明によれば、設定項目が表示されている状態のときに、表示されている設定項目の位置で再度タッチ入力を行うと、当該タッチ入力のあった位置の設定項目を選択することができる。
【００１７】
さらに、本発明によれば、タッチ入力が解除されたことが検知された場合には、表示されている設定項目を消去することができる。したがって、利用者が設定を確認したのち、タッチ状態を解除する（タッチパネル部から指等を話す）だけで、設定項目が消去され、通常の操作画面が表示されることとなる。
【発明を実施するための最良の形態】
【００１８】
以下、図面を参照して本発明を実施するための最良の形態について説明する。なお、本実施形態では、一例として、本発明における表示入力装置を、デジタル複合機に適用した場合について説明する。
【００１９】
［動作説明］
図１及び図２は、本実施形態におけるデジタル複合機１の一実施形態を示す斜視図及び断面図である。このデジタル複合機１では、原稿の画像を読取って記録紙に印刷する複写モード、原稿の画像を読取って送信したり、原稿の画像を受信して記録紙に印刷したりするファクシミリモード、及び情報端末装置からネットワークを通じて受信した画像を記録紙に印刷するプリンタモード等を選択的に行うことができる。このデジタル複合機１は、その構成を大別すると、原稿搬送読取部２、画像形成部３、給紙部４、排紙処理装置５及びＵＳＢインターフェイス７を備えている。
【００２０】
次に、複写モードを例に挙げて、デジタル複合機１の動作を説明する。まず、原稿を原稿搬送読取部２の原稿セットトレイ１１にセットすると、原稿検知センサ１２が原稿をセットされたことを検出する。そして、原稿搬送読取部２の操作パネル６を操作することにより印刷用紙のサイズ及び変倍率等を入力設定する。その後、操作パネル６の操作により複写の開始を指示する。
【００２１】
これらの操作に応答して原稿搬送読取部２では、ピックアップローラ１３により原稿セットトレイ１１上の各原稿を１枚ずつ引き出し、原稿をサバキ板１４と搬送ローラ１５間を介してプラテンガラス１６へと送り出し、原稿をプラテンガラス１６上で副走査方向に搬送して原稿排出トレイ１７へと排出する。
【００２２】
このとき、第１読取部２１によって原稿の表面（下側面）を読取る。第１読取部２１の第１走査ユニット２３をポジションに移動して位置決めし、第２走査ユニット２４を所定位置に位置決めしておき、第１走査ユニット２３の露光ランプにより原稿の表面を、プラテンガラス１６を介して照射し、原稿の反射光を第１及び第２走査ユニット２３、２４の各反射ミラーにより結像レンズ２６へと導き、原稿の反射光を結像レンズ２６によりＣＣＤ（Charge  Coupled  Device）２７に集光させ、原稿の表面の画像をＣＣＤ２７上に結像させ、これにより原稿の表面の画像を読取る。
【００２３】
また、第２読取部２２によって原稿の裏面（上側面）を読取る。第２読取部２２は、プラテンガラス１６の上方に配置されており、原稿の裏面を照射する露光ランプ（ＬＥＤ（Light Emitting Diode）アレイ、蛍光灯等）、画素毎に、原稿の反射光を集光するセルフォックレンズアレイ及びセルフォックレンズアレイを通じて受光した原稿の反射光を光電変換して、アナログの画像信号を出力する密着イメージセンサ（CIS；Contact Image Sensor）等を備えている。
【００２４】
更に、原稿搬送読取部２の上部筐体を開いて、プラテンガラス１６上に原稿を載置し、この状態で第１読取部２１により原稿の表面を読取ることが可能である。この場合は、第１及び第２走査ユニット２３、２４を相互に所定の速度関係を維持しつつ副走査方向に移動させ、第１走査ユニット２３によってプラテンガラス１６上の原稿を露光し、第１及び第２走査ユニット２３、２４によって原稿からの反射光を結像レンズ２６へと導き、結像レンズ２６によって原稿の画像をＣＣＤ２７上に結像する。
【００２５】
こうして原稿の片面もしくは両面が読み取られると、原稿の片面もしくは両面の画像を示す画像データがマイクロコンピュータ等の制御部１００（図３に示す）に入力され、ここで画像データに各種の画像処理が施され、この画像データが画像形成部３へと出力される。
【００２６】
画像形成部３は、画像データによって示される原稿の画像を記録紙に印刷するものであって、感光体ドラム３１、帯電装置３２、レーザスキャンユニット（以下ＬＳＵと称する）３３、現像装置３４、転写装置３５、クリーニング装置３６、除電装置（図示せず）及び定着装置３７等を備えている。
【００２７】
また、画像形成部３には、主搬送路３８及び反転搬送路３９が設けられており、給紙部４から給紙されて来た記録紙が主搬送路３８に沿って搬送される。給紙部４は、用紙カセット４１に収納された記録紙、または手差トレイ４２に載置された記録紙を１枚ずつ引き出して、記録紙を画像形成部３の主搬送路３８へと送り出す。
【００２８】
画像形成部３の主搬送路３８に沿って記録紙が搬送されている途中で、記録紙が感光体ドラム３１と転写装置３５との間を通過し、更に定着装置３７を通過して、記録紙に対する印刷が行われる。感光体ドラム３１は、一方向に回転しており、その表面をクリーニング装置３６と除電装置によりクリーニングされてから、その表面を帯電装置３２により均一に帯電される。レーザスキャンユニット３３は、原稿搬送読取部２からの画像データに基づいてレーザ光を変調し、このレーザ光によって感光体ドラム３１表面を主走査方向に繰り返し走査して、静電潜像を感光体ドラム３１表面に形成する。現像装置３４は、トナーを感光体ドラム３１表面に供給して、静電潜像を現像し、トナー像を感光体ドラム３１表面に形成する。転写装置３５は、該転写装置３５と感光体ドラム３１間を通過して行く記録紙に感光体ドラム３１表面のトナー像を転写する。定着装置３７は、記録紙を加熱及び加圧して、記録紙上のトナー像を定着させる。
【００２９】
主搬送路３８と反転搬送路３９の接続位置には、分岐爪４３が配設されている。記録紙の片面だけに印刷が行われる場合は、分岐爪４３が位置決めされ、この分岐爪４３により定着装置３７からの記録紙が排紙トレイ４４又は排紙処理装置５の方へと導かれる。
【００３０】
また、記録紙の両面に印刷が行われる場合は、分岐爪４３が点線で示す位置に回転移動されて、記録紙が反転搬送路３９の方へと導かれる。そして、記録紙は、反転搬送路３９を通過して、その表裏を反転されて主搬送路３８へと再び搬送され、主搬送路３８の再度の搬送途中で、その裏面への印刷が行われて、排紙トレイ４４又は排紙処理装置５の方へと導かれる。
【００３１】
こうして印刷された記録紙は、排紙トレイ４４又は排紙処理装置５の方へと導かれて、排紙トレイ４４に排出されたり、排紙処理装置５の各排紙トレイ５ａのいずれかに排出されたりすることとなる。
【００３２】
排紙処理装置５では、複数の記録紙を各排紙トレイ５ａに仕分けして排出したり、各記録紙にパンチング処理を施したり、各記録紙にステープル処理を施す。例えば、複数部の印刷物を作成する場合は、各排紙トレイ５ａに印刷物の一部ずつが割り当てられる様に各記録紙を各排紙トレイ５ａに仕分けして排出し、排紙トレイ５ａ毎に、排紙トレイ５ａ上の各記録紙にパンチング処理やステープル処理を施して、印刷物を作成する。
【００３３】
［構成］
つづいて、デジタル複合機１の構成について図３を用いて説明する。図３に示すように、デジタル複合機１は、制御部１００に、画像読取部１０２と、操作部１０４と、画像形成部１０６と、モデム部１０８と、画像メモリ１１０と、通信部１１２と、ＲＯＭ１１４と、記憶部１１６とが接続されている。また、モデム部１０８は公衆回線網Ｎ３に、通信部１１２はネットワークＮ１に接続されている。
【００３４】
制御部１００は、デジタル複合機１の各種動作及び制御を行う機能部である。デジタル複合機１に記憶されている各種プラグラムを読み出し、実行することにより各処理を実現する。ここで、制御部１００は、例えば演算を行うＣＰＵ（Central Processing Unit）により構成されている。
【００３５】
画像読取部１０２は、記録紙に記録された画像を読み取って、画像データを生成する機能部である。画像読取部１０２は、例えばスキャナ等から構成されている。なお、図１に示したデジタル複合機１においては、原稿搬送読取部２が該当する。画像読取部１０２において生成された画像データは、画像メモリ１１０に送られ、一時記憶される。
【００３６】
操作部１０４は、操作のために必要な情報を表示する表示部１０４２と、使用者の操作により制御命令などの情報が入力されるタッチパネル部１０４４とを備えて構成されている。なお、図１に示したデジタル複合機１においては、操作パネル６が該当する。なお、制御命令などの情報を入力する装置はタッチパネル部１０４４以外にもテンキー等も備えられているが、本実施形態においてはその説明を省略する。
【００３７】
画像形成部１０６は、画像メモリ１１０に記憶された画像データに基づいて、画像を形成し、記録紙に記録（印刷）するための機能部である。例えば、レーザプリンタ等により構成されてもよい。なお、図１においては、画像形成部３が該当する。
【００３８】
モデム部１０８は、ファクシミリ通信を行うための機能部であり、公衆回線網Ｎ３に接続されている。ここで、画像読取部１０２が生成した画像データは、モデム部１０８に接続された公衆回線網Ｎ３を介して他のファクシミリ装置２１２へファクシミリ通信にて送信することができる。また、デジタル複合機１において、公衆回線網Ｎ３を介して他のファクシミリ装置２１２から送信された画像データをモデム部１０８で受信し、受信した画像データから画像形成部１０６で画像を形成することができる。
【００３９】
画像メモリ１１０は、画像データを一時的に記憶するメモリである。具体的には、画像読取部１０２で生成された画像データが、一度画像メモリ１１０に記憶される。ここで、印刷を指示されている画像データは画像形成部１０６に、保存を指示されている画像データは記憶部１１８に、通信により送受信を指示されている画像データはモデム部１０８又は通信部１１２にそれぞれ出力される。
【００４０】
また、モデム部１０８や通信部１１２により受信された画像データも、画像メモリ１１０に一時保存されることになる。
【００４１】
通信部１１２は、デジタル複合機１がネットワークを介してデータを送受信するための通信手段として機能する機能部である。通信部１１２は、社内ＬＡＮ等の通信ネットワークＮ１に接続可能であり、通信ネットワークＮ１には１または複数のパーソナルコンピュータ２００が接続されている。ここで、デジタル複合機１が単独で動作している通常の状態では、通信ネットワークＮ１を介してＰＣ２００との間でデータを交換する。
【００４２】
具体的には、デジタル複合機１において、画像読取部１０２が生成した画像データを通信部１１２からＰＣ２００に送信する。このようにすることにより、デジタル複合機１はスキャナとして動作可能となる。また、逆にＰＣ２００において、画像データをデジタル複合機１に送信する。デジタル複合機１は、通信部１１２において受信された画像データから画像形成部１０６で画像を形成することができる。この場合、デジタル複合機１はプリンタとして動作可能である。
【００４３】
ここで、通信ネットワークＮ１は、更にインターネット等の広域通信ネットワークＮ２に接続されている。モデム部１０８は、電子メールに画像データを添付して送信するなどの方法により、広域通信ネットワークＮ２に接続されたＰＣ２０２又は他のファクシミリ装置２１０との間で、通信ネットワークＮ１及び広域通信ネットワークＮ２を介して画像データを受信することができる。このようにして、デジタル複合機１はインターネットファクシミリ装置として機能する。
【００４４】
ＲＯＭ１１４は、デジタル複合機１を動作させる為の各種データやプログラムなどを記憶している機能部である。制御部１００は、ＲＯＭ１１４に記憶されている制御プログラムを読み出して実行することにより、制御処理を実行する。また、ＲＯＭ１１４にはタッチパネル割込プログラム１１４２と、動作設定プログラム１１４４とが記憶されている。制御部１００は、タッチパネル部１０４４において、タッチが検出されると、タッチパネル割込プログラム１１４２を読み出して実行することにより、タッチパネル割込処理（図６）を実現する。また、制御部１００は、動作設定プログラム１１４４を読み出して実行することにより、動作設定処理（図７）を実現する。
【００４５】
記憶部１１６は、デジタル複合機１の設定状態を記憶したり、画像メモリ１１０において一時記憶された画像データを保存したりするための機能部である。ここで、記憶部１１６は、例えば、半導体メモリ、ハードディスクドライブ、光学式ディスクドライブ等のいずれかの記憶装置により構成されている。また、記憶部１１６には、動作割当テーブル１１６２と、動作設定情報１１６４とが記憶されている。
【００４６】
動作割当テーブル１１６２は、タッチパネル部１０４４においてタッチが検出された座標に応じて設定される動作について記憶しているテーブルである。動作割当テーブル１１６２のデータ構造の一例として図４に示す。
【００４７】
図４に示すように、動作割当テーブル１１６２は、座標（例えば、「（ｘ１，ｙ１）−（ｘ２，ｙ２）」）と、現在の状態（例えば、「操作画面」）と、動作（例えば、「第２給紙カセット設定」）とが対応づけて記憶されている。
【００４８】
ここで、まず座標は、表示部１０４２に重なっているタッチパネル部１０４４の座標範囲である。例えば、図５に示すように、左上の頂点（ｘ１，ｙ１）から右下の頂点（ｘ２，ｙ２）までの範囲がタッチされた場合に、当該座標範囲に対応する動作が選択される。
【００４９】
例えば、操作画面が表示されている場合であれば、当該座標範囲をタッチすると「第２給紙カセット設定」の動作が選択される。
【００５０】
動作設定情報１１６４は、デジタル複合機１における各種動作設定に関する情報が記憶される。例えば、第２給紙カセットには「Ａ４」が設定されていることが記憶されたり、原稿サイズが「自動」と設定されていることが記憶されたりする。
【００５１】
［処理の流れ］
続いて、図６を用いて、デジタル複合機１におけるタッチパネル割込処理について説明する。タッチパネル割込処理は、制御部１００が、タッチパネル割込プログラム１１４２を実行することにより、実現される処理である。具体的には、タッチパネル部１０４４がタッチ状態を検知した場合や、タッチ状態が解除されたことを検知した場合に実行される処理である。
【００５２】
まず、タッチ状態が検知されると（ステップＳ１００；Ｙｅｓ）、動作設定処理（図７）が実行される（ステップＳ１０２）。そして、タッチ状態が解除されるまで動作設定処理が実行される（ステップＳ１０４；Ｎｏ→ステップＳ１０２）。
【００５３】
ここで、タッチ状態が解除されると（ステップＳ１０４；Ｙｅｓ）、表示されている設定項目が消去され、タッチパネル割込処理が実行される以前の表示状態（操作画面）に戻ることとなる。
【００５４】
続いて、図７を用いて、タッチパネル割り込み処理のステップＳ１０２において実行される動作設定処理について説明する。動作設定処理は、動作設定プログラム１１４４が制御部１００により読み出され、実行されることにより実現される処理である。
【００５５】
まず、タッチパネル部１０４４におけるタッチ位置を取得する（ステップＳ２００）。そして、制御部１００は、タッチ位置（座標）に対応する動作を動作割当テーブル１１６２により決定する（ステップＳ２０２）。また、動作に対応する設定項目と、当該設定項目のうち、対応する動作設定情報を読み出し（ステップＳ２０４）、設定項目に動作設定情報を併せて表示部１０４２に表示する（ステップＳ２０６）。
【００５６】
ここで、設定項目にタッチされると（ステップＳ２０８；Ｙｅｓ）、タッチされた項目に対応して動作設定情報１１６４が変更されることとなる（ステップＳ２１０）。
【００５７】
［動作例］
続いて、表示部１０４２における表示状態を例に、具体的な動作を説明する。まず図８は、第２給紙カセットの設定を行う場合の表示状態である。
【００５８】
まず、第２給紙カセットの設定を行うために、利用者は、操作画面が表示されている状態でタッチパネル部１０４４の領域Ｒ１００をタッチする。制御部１００は、タッチパネル部１０４４がタッチ状態となったことを検知すると、動作設定処理を実行する（図６のステップＳ１００；Ｙｅｓ→ステップＳ１０２）。
【００５９】
そして、タッチ位置を検出し（図７のステップＳ２００）、タッチ位置に対応する動作を動作割当テーブル１１６２から読み出して決定する（図７のステップＳ２０２）。ここでは、「第２給紙カセット設定」という動作を決定する。
【００６０】
そして、当該動作に対応するウィンドウを領域Ｒ１０２に表示する。本図では、「第２給紙カセット設定」の動作設定情報として「Ａ４」「Ａ３」「Ｂ５」「Ｂ４」が読み出されて設定項目の候補として表示されている（図７のステップＳ２０４→ステップＳ２０６）。
【００６１】
ここで、領域Ｒ１００がタッチされたまま、「Ａ４」を示す領域Ｒ１０４がタッチされると（図７のステップＳ２０８；Ｙｅｓ）、「第２給紙カセット設定」として「Ａ４」が選択され、設定が変更される（図７のステップＳ２１０）。タッチの仕方としては、例えば、利用者が人差し指で領域Ｒ１００を選択し、中指で領域Ｒ１０４を選択することにより、直感的に設定の動作を行うことが可能となる。
【００６２】
同様に、図９は、コピー濃度の種類を設定する場合の表示状態を示した図である。コピー濃度の領域Ｒ１２０がタッチされることにより、コピー濃度に対応する設定項目の候補が領域Ｒ１２２に表示されている。具体的には「文字」は文字だけの原稿を読み取る場合、「印刷写真」は普通紙に印刷された写真を読み取る場合、「印画紙写真」は印画紙に印刷された写真を読み取る場合、「地図」は地図を読み取る場合、「淡い原稿」は、読み取る原稿が淡く印刷されているものを読み取る場合にそれぞれ選択される。
【００６３】
なお、混在原稿の場合は２つ選択することも可能である。まず、領域Ｒ１２０がタッチされることにより、領域Ｒ１２２に設定する候補が表示される。そして、候補を複数タッチすることにより、複数の候補を設定することができる。この場合、「文字」と「印画紙写真」の混在原稿の読み取り設定が可能となる。
【００６４】
また、一度選択された設定項目の領域を再度タッチすることにより選択を取り消せることとしても良い。例えば、設定項目「文字」の領域を再度タッチすることにより、「文字」の設定が解除され、「印画紙用紙」のみが選択された状態となる。
【００６５】
また、図１０は、「仕上げ（後処理装置）」に関する設定である。例えば、図の後処理装置である領域Ｒ１４０をタッチすると領域Ｒ１４２に「仕上げ」に関する設定項目「トップトレイ」及び「オフセットトレイ」が表示される。領域Ｒ１４２の中で、「オフセットトレイ」の領域がタッチされると、領域Ｒ１４４に「オフセットトレイ」の設定項目「ソート」「ステープルソート」「グループ」「２穴パンチ」「３穴パンチ」「１９穴パンチ」が表示される。
【００６６】
ここで、利用者により１又は複数の項目が選択されることにより動作「オフセットトレイ」の設定項目が変更されることとなる。
【００６７】
また、設定項目は階層上に更に設定可能としても良い。例えば、図１１及び図１２は、読み取り原稿設定について説明するための図である。例えば、表示されているスキャナー部の領域Ｒ１６０がタッチされると、読み取り原稿設定の設定候補が領域Ｒ１６２に表示される。
【００６８】
ここで、読み取り原稿設定の設定候補から「Ａ４」がタッチされると、原稿をどこから読み取るかの「読み取り原稿先」を設定するための設定候補が更に表示される。このときの状態を示したのが図１２である。図１２の用に、領域Ｒ１６２において「Ａ４」の設定項目がタッチされると、領域Ｒ１６４に読み取り原稿先の候補が表示される。ここで「原稿台」がタッチされると、更に「読み取り解像度」の設定項目が領域Ｒ１６６に表示される。このように、設定項目を階層上に設定することも可能である。
【００６９】
［変形例］
なお、本実施形態においては、表示入力装置を適用した一例としてデジタル複合機を用いて説明したが、本発明が適用可能は装置に関しては、当該装置に限定されるものではない。具体的には、例えばファクシミリ装置であったり、処理装置、印刷装置を備えたコンピュータシステムであったり、同種の装置にも適用可能なことは勿論である。
【図面の簡単な説明】
【００７０】
【図１】本発明を適用した場合におけるデジタル複合機の外観を示す図である。
【図２】本発明を適用した場合におけるデジタル複合機の断面図である。
【図３】本実施形態におけるデジタル複合機の構成を示す図である。
【図４】本実施形態における動作割当てテーブルのデータ構造の一例を示す図である。
【図５】本実施形態における動作について説明するための図である。
【図６】本実施形態におけるタッチパネル割込処理の動作フローを示す図である。
【図７】本実施形態における動作設定処理の動作フローを示す図である。
【図８】本実施形態における動作について説明するための図である。
【図９】本実施形態における動作について説明するための図である。
【図１０】本実施形態における動作について説明するための図である。
【図１１】本実施形態における動作について説明するための図である。
【図１２】本実施形態における動作について説明するための図である。
【図１３】従来の動作について説明するための図である。
【図１４】従来の動作について説明するための図である。
【図１５】従来の動作について説明するための図である。
【符号の説明】
【００７１】
１  デジタル複合機
２  原稿搬送読取部
３  画像形成部
４  給紙部
５  排紙処理装置
１００  制御部
１０２  画像読取部
１０４  操作部
１０４２  表示部
１０４４  タッチパネル部
１０６  画像形成部
１０８  モデム部
１１０  画像メモリ
１１２  通信部
１１４  ＲＯＭ
１１４２  タッチパネル割込プログラム
１１４４  動作設定プログラム
１１６  記憶部
１１６２  動作割当テーブル
１１６４  動作設定情報
【図１】
0004709234.tif 000002
【図２】
0004709234.tif 000003
【図４】
0004709234.tif 000004
【図５】
0004709234.tif 000005
【図６】
0004709234.tif 000006
【図７】
0004709234.tif 000007
【図８】
0004709234.tif 000008
【図９】
0004709234.tif 000009
【図１０】
0004709234.tif 000010
【図１１】
0004709234.tif 000011
【図１２】
0004709234.tif 000012
【図１３】
0004709234.tif 000013
【図１４】
0004709234.tif 000014
【図１５】
0004709234.tif 000015
【図３】
0004709234.tif 000016